(57)【特許請求の範囲】
【請求項１】
バルブ開口部および前記バルブ開口部の周囲に形成されたバルブシートを有する壁を備えているバルブ本体と、
前記バルブ開口部を開放する開位置と、前記バルブシートに押し付けられる閉位置との間で変位可能なバルブプレートと、
前記バルブプレートを前記開位置および前記閉位置の間で動かす駆動手段と、
ボルトにより構成されている第１後補強要素と、第１前補強要素とを備え、前記ボルトの軸方向に離れた箇所で前記ボルトにより支持されている２つのセクションにより構成され、前記バルブプレートの前記閉位置において前記バルブプレートを前記バルブシートに押し付ける補強ユニットと、
前記バルブ開口部の後側において前記バルブシートが形成されている前記壁または前記壁に固定して取り付けられ、前記第１後補強要素としての前記ボルトが嵌合する凹部により構成されている第２後補強要素と、前記バルブ開口部の前側において前記バルブ本体に固定され、前記第１前補強要素と当接する第２前補強要素とを備え、前記バルブプレートの前記閉位置において、前記補強ユニットが前記バルブシートから離反する方向に変位することを防止する手段とを備え、
前記バルブプレートを前記開位置から前記閉位置に動かすための前記駆動手段が、軸方向について前記バルブプレートが前記開位置にある第１位置から、前記バルブプレートが中間位置にある第２位置を経て、前記バルブプレートが前記閉位置にある第３位置に変位可能であり、かつ、前記第１位置から前記第２位置の変位に応じて前記バルブプレートを連動させて前記開位置から前記中間位置に変位させるバルブロッドと、前記バルブロッドが前記第２位置から前記第３位置に変位することによって作動し、前記バルブプレートを前記中間位置から前記閉位置に動かすように前記バルブプレートに作用する順変位要素とを備え、
前記補強ユニットと、前記バルブプレートとが、前記バルブロッドの軸方向について前記補強ユニットおよび前記補強ユニットの相対的な変位を制限する支持部を介して連結され、
前記第１後補強要素としての前記ボルトが前記第２後補強要素としての前記凹部に嵌合することにより、前記バルブロッドが前記第２位置から前記第３位置に変位する方向について前記補強ユニットの変位が制限されている状態で、前記補強ユニットが前記ボルトの軸としての揺動軸のまわりに、前記第１前補強要素および前記第２前補強要素が相互に離れている始点位置と、前記始点位置よりも前記バルブシートから離れている位置であって、前記第１前補強要素および前記第２前補強要素が相互に当接する終点位置との間で自由に揺動し、
前記バルブプレートが前記開位置から、前記バルブ開口部の軸方向について、前記バルブプレートを前記バルブシートに押し付けられる面の反対側から見た場合に前記バルブプレートが前記バルブ開口部を覆っている一方で前記バルブシートから離れている中間位置を経て前記閉位置に自由に動かされ、
前記バルブロッドが前記第２位置から前記第３位置に変位することにより作動する逆変位要素が設けられ、前記逆変位要素は前記バルブロッドが前記第２位置から前記第３位置に変位する際に前記補強ユニットが前記始点位置から前記終点位置に揺動するように前記補強ユニットに作用することを特徴とするスライドバルブ。
【請求項２】
請求項１記載のスライドバルブにおいて、
前記第１後補強要素を構成するボルトが前記セクションの後端部に取り付けられ、前記セクションの前記閉方向についての前端部が前記第１前補強要素を構成することを特徴とするスライドバルブ。
【請求項３】
請求項１または２記載のスライドバルブにおいて、
前記順変位要素は、前記バルブロッドに対して揺動可能であり、かつ、前記バルブプレートに対して揺動可能に配置された揺動梃子であることを特徴とするスライドバルブ。
【請求項４】
請求項３記載のスライドバルブにおいて、
前記バルブプレートが揺動梃子により構成されている２つの順変位要素を介して前記バルブロッドに連結され、前記バルブロッドが前記第２位置から前記第３位置まで前記バルブロッドに対して平行に変位することにより、前記順変位要素が前記バルブプレートを動かすことを特徴とするスライドバルブ。
【請求項５】
請求項１〜４のうちいずれか１つに記載のスライドバルブにおいて、
前記逆変位要素は、前記バルブロッドに対して揺動可能であり、かつ、前記補強ユニットに対して揺動可能に配置された揺動梃子であることを特徴とするスライドバルブ。
【請求項６】
請求項１〜５のうちいずれか１つに記載のスライドバルブにおいて、
前記補強ユニットがばね弾性を有する支持部を介して前記バルブプレートに連結され、前記バルブロッドが前記第２位置から前記第３位置に変位する際、前記バルブロッドが前記第３位置に到達する前において前記バルブロッドの前記閉方向への動きが防止される一方、前記揺動軸まわりに前記補強ユニットの前記バルブプレートに向かう揺動が可能とされることにより、ばね弾性を有する前記支持部が、前記バルブプレートの前記閉位置から始まる前記バルブの開放に際して前記補強ユニットを前記揺動軸のまわりに前記始点位置の方向に揺動させるとともに、前記バルブプレートに前記バルブシートから離れる方向に力を作用させることを特徴とするスライドバルブ。
【発明の詳細な説明】
【技術分野】
【０００１】
本発明はスライドバルブに関する。
【背景技術】
【０００２】
スライドバルブまたはプレートバルブの技術分野において、バルブ開口部の周囲に形成されたバルブシートに押し付けられるバルブプレートの動きによってバルブ開口部が閉じられるさまざまな形態の真空バルブが知られている。弾性素材からなるパッキングが強い交差応力にさらされないように、バルブプレートの閉塞動作が２段階で実行されることが知られている。閉塞軌道の大部分を占める閉塞動作の第１段階においてバルブプレートはバルブ開口部を開放している閉位置から、バルブ開口部を覆いながらバルブシートから離れている中間位置に動かされる。閉塞動作の第２段階においてバルブプレートは中間位置から、バルブプレートがバルブシートに押し付けられてバルブ開口部が密閉される閉位置に動かされる。
【０００３】
たとえば、次のようなスライドバルブが提案されている(特許文献１〜４参照)。バルブロッドに取り付けられた板状の補強ユニットと、バルブプレートの間に配置されている機械的な変位要素によりバルブプレートの２段階の動きが引き起こされる。機械的な変位要素により、バルブプレートと板状のバルブ補強ユニットとの間の円形状の割れ目を通るロール体と、当該２つのプレートの間の梃子機構または傾動機構とが連携している。第２段階においてバルブロッドが曲がることを防止または抑制するため、プレート状の補強ユニット、または、支持機構要素により補強ユニットに支持されている押圧プレートが、バルブハウジングの対向する壁にあるバルブシートに押圧される。
【０００４】
さらに、次のようなスライドバルブが提案されている(特許文献５参照)。スライドバルブのバルブプレートはその閉位置において、補強ユニットがバルブシートから離れるように動くことを防止するための手段によりバルブシートに押し付けられている。この手段は、補強ユニットの一部として形成され、バルブシートを有するバルブ本体の壁の凹部に収容される、横から見たときに逆さの馬蹄形状またはＵ字形状部分を有している。補強ユニットは堅固に形成され、これによりバルブシートが形成されている壁に安定に押圧される。
【特許文献１】米国特許公報  ＵＳ４，５６０，１４１  Ａ
【特許文献２】独国特許公報  ３２０９２１７  Ｃ２
【特許文献３】独国特許公報  ３２２４３８７  Ｃ２
【特許文献４】米国特許公報  ＵＳ３，１８５，４３５  Ａ
【特許文献５】日本国特開２００１−２６３５０５号公報
【発明の開示】
【発明が解決しようとする課題】
【０００５】
本発明は、簡易な構成の補強ユニットにより、バルブプレートの閉位置においてバルブシートを有する壁に補強ユニットを安定または強固に押圧することができるスライドバルブを提供することを解決課題とする。
【課題を解決するための手段】
【０００６】
本発明のスライドバルブは、バルブ開口部および前記バルブ開口部の周囲に形成されたバルブシートを有する壁を備えているバルブ本体と、前記バルブ開口部を開放する開位置と、前記バルブシートに押し付けられる閉位置との間で変位可能なバルブプレートと、前記バルブプレートを前記開位置および前記閉位置の間で動かす駆動手段と、ボルトにより構成されている第１後補強要素と、第１前補強要素とを備え、前記ボルトの軸方向に離れた箇所で前記ボルトにより支持されている２つのセクションにより構成され、前記バルブプレートの前記閉位置において前記バルブプレートを前記バルブシートに押し付ける補強ユニットと、前記バルブ開口部の後側において前記バルブシートが形成されている前記壁または前記壁に固定して取り付けられ、前記第１後補強要素としての前記ボルトが嵌合する凹部により構成されている第２後補強要素と、前記バルブ開口部の前側において前記バルブ本体に固定され、前記第１前補強要素と当接する第２前補強要素とを備え、前記バルブプレートの前記閉位置において、前記補強ユニットが前記バルブシートから離反する方向に変位することを防止する手段とを備え、前記バルブプレートを前記開位置から前記閉位置に動かすための前記駆動手段が、軸方向について前記バルブプレートが前記開位置にある第１位置から、前記バルブプレートが中間位置にある第２位置を経て、前記バルブプレートが前記閉位置にある第３位置に変位可能であり、かつ、前記第１位置から前記第２位置の変位に応じて前記バルブプレートを連動させて前記開位置から前記中間位置に変位させるバルブロッドと、前記バルブロッドが前記第２位置から前記第３位置に変位することによって作動し、前記バルブプレートを前記中間位置から前記閉位置に動かすように前記バルブプレートに作用する順変位要素とを備え、前記補強ユニットと、前記バルブプレートとが、前記バルブロッドの軸方向について前記補強ユニットおよび前記補強ユニットの相対的な変位を制限する支持部を介して連結され、前記第１後補強要素としての前記ボルトが前記第２後補強要素としての前記凹部に嵌合することにより、前記バルブロッドが前記第２位置から前記第３位置に変位する方向について前記補強ユニットの変位が制限されている状態で、前記補強ユニットが前記ボルトの軸としての揺動軸のまわりに、前記第１前補強要素および前記第２前補強要素が相互に離れている始点位置と、前記始点位置よりも前記バルブシートから離れている位置であって、前記第１前補強要素および前記第２前補強要素が相互に当接する終点位置との間で自由に揺動し、前記バルブプレートが前記開位置から、前記バルブ開口部の軸方向について、前記バルブプレートを前記バルブシートに押し付けられる面の反対側から見た場合に前記バルブプレートが前記バルブ開口部を覆っている一方で前記バルブシートから離れている中間位置を経て前記閉位置に自由に動かされ、前記バルブロッドが前記第２位置から前記第３位置に変位することにより作動する逆変位要素が設けられ、前記逆変位要素は前記バルブロッドが前記第２位置から前記第３位置に変位する際に前記補強ユニットが前記始点位置から前記終点位置に揺動するように前記補強ユニットに作用することを特徴とする。
【０００７】
本発明のスライドバルブによれば、補強ユニットがバルブシートから離れるのを防止する手段が、補強ユニットの離れている部分の間で軸方向にのびて配置されているボルトから構成されている第１補強要素と、バルブ本体に固定され、ボルトが係合する凹部を有する第２補強要素とを備えている。ボルトが補強ユニットのボルトの軸方向に相互に離れた部分に取り付けられるという簡易な構成により、補強ユニットがバルブシートを有する壁に安定または強固に押圧されうる。
【０００８】
ボルトが取り付けられる補強ユニットの２つのセクションはＬ字形状フレームにより構成されている。Ｌ字形状のフレームの一端にボルトが支持されている。バルブプレートが始点位置から始まって動かされる方向である閉方向についてフレームの他端が、バルブ本体に固定された第２補強要素と相互作用する。
【０００９】
バルブプレートはバルブ開口部を覆う一方でバルブシートから離れている中間位置を経て開位置および閉位置の間で動かされ、かつ、バルブプレートを駆動するための手段は、バルブプレートが開位置にある第１位置から、閉方向に変位可能なバルブロッドを備えている。バルブロッドはバルブプレートが中間位置にある第２位置を経て、バルブプレートが閉位置にある第３位置に変位する。
【００１０】
補強ユニットを構成するボルトが第２補強要素に係合した後、バルブプレートが開位置から閉位置に動く際、補強ユニットがこのボルトの軸まわりに揺動することができる。ボルトは「揺動用ボルト」として表現され、その軸は補強ユニットの揺動軸を構成する。第２補強要素はボルト用の揺動機構を構成する。係合している第１補強要素および第２補強要素が相対的に動くことが圧力によって回避または抑制される。
【００１１】
ボルトが係合する第２補強要素が、バルブプレートが開位置から動く方向である閉方向、すなわち、バルブロッドの閉方向についてバルブ開口部より後においてバルブシートが形成されている壁に取り付けられまたはその壁と一体的に形成されている。さらに、バルブ本体に固定された第２前補強要素が、閉方向についてバルブ開口部より前においてバルブシートが形成されている壁に取り付けられまたはその壁と一体的に形成されている。第２前補強要素は、補強ユニットの閉方向についてボルトよりも前に配置されている第１前補強要素と係合する。ボルトは閉方向についてバルブ本体に固定されている第２後補強要素と係合し、補強ユニットの第１後補強要素として表現されうる。バルブが閉じるときボルトが第２後補強要素に係合した後、補強ユニットは第１前補強要素が第２前補強要素から離れている始点位置と、第１前補強要素が第２前補強要素に当接する終点位置との間で揺動軸まわりに揺動する。
【００１２】
バルブプレートを開位置および閉位置の間で駆動するための手段は、バルブロッドが第２位置から第３位置に変位することにより機能し、バルブプレートに作用してバルブプレートを中間位置から閉位置に動かすための順変位要素をさらに備えている。順変位要素はバルブロッドおよびバルブプレートのそれぞれに揺動自在に取り付けられた揺動梃子であってもよく、バルブプレートを平行に移動させる２つの揺動梃子により構成されることが好ましい。
【００１３】
バルブロッドが第２位置から第３位置に変位する際、この変位により機能する逆変位要素により補強ユニットが始点位置から終点位置に揺動される。逆変位要素はバルブロッドおよび補強ユニットのそれぞれに揺動自在に取り付けられた揺動梃子である。揺動梃子を介してバルブロッドが補強ユニットに連結されている。
【００１４】
なお、本明細書では「前」および「後」という語句はバルブロッドの閉方向に関連付けられている。バルブロッドの後端から始まってそこからアクチュエータによって動かされる領域において、前側の部分は後側の部分よりも大きい状態である。
【発明を実施するための最良の形態】
【００１５】
本発明の真空用のスライドバルブまたはプレートバルブの実施形態について図面を用いて説明する。スライドバルブはバルブ開口部３が形成された壁２を有するバルブ本体１を備えている。バルブ開口部３の周囲に形成されたバルブシート４には、弾性素材により形成されたシールリング６によりバルブ開口部３を真空密閉するためにバルブの閉状態においてバルブプレート５が押し付けられる。シールリング６はバルブプレート５に設けられ、バルブシート４のシール面に押し付けられる。なお、バルブシート４に設けられたシールリング６およびバルブプレート５のシール面が当接してもよい。
【００１６】
スライドバルブの開状態において(図１(ａ)、図５(ａ)および図６(ａ)参照)、バルブプレート５はバルブ開口部３を開放し、バルブ開口部３の軸７の方向から見たときにバルブ開口部３が完全にみえるようにその脇に位置している。スライドバルブの閉状態において(図１(ｂ)、図２〜図４、図５(ｄ)および図６(ｄ)参照)、バルブ開口部３を密閉するためにバルブプレート５がバルブシート４に押し付けられている。バルブが閉じられる際、バルブプレート５が開位置から、バルブ開口部３をその軸７の方向から見たときに覆う一方でバルブシート４から離れている中間位置(図５(ｃ)および図６(ｃ)参照)を経て閉位置にいたる。
【００１７】
バルブプレート５を支持するバルブロッド８がバルブを開閉する役割を果たす。バルブを閉じるためにバルブロッド８はその縦軸に対して平行な閉方向９に変位可能である。これにより、バルブロッド８はバルブプレート５が開位置にある「第１位置」から、バルブプレート５が中間位置にある「第２位置」を経て、バルブプレート５が閉位置にある「第３位置」まで変位可能である。バルブロッド８が第１位置から第２位置まで変位することによりバルブプレート５がバルブロッド８に連動して、バルブロッド８の閉方向９に直線的に、かつ、特に軸７に対して垂直に変位する。バルブロッド８が第２位置から第３位置に変位することにより、バルブプレート５がバルブシート４に向かって軸７に対してほぼ平行に(たとえば軸７に対して３０°以下の角度で)変位する。
【００１８】
なお、本実施形態ではバルブロッド８は３本であるが、他の実施形態としてその本数が３より多くても少なくてもよい。
【００１９】
バルブプレート５は揺動梃子により構成されている２つの順変位要素１０，１１を介してバルブロッド８に連結されている。当該２つの順変位要素１０，１１は一方でバルブプレート５に揺動自在に取り付けられ、他方でバルブロッド８に揺動自在に取り付けられている。２つの揺動軸はお互いに平行かつ閉方向９に対して垂直である。順変位要素１０，１１はバルブロッド８に対するバルブプレート５の平行四辺形の案内装置を構成する。バルブロッド８が第２位置から第３位置に動かされるとき、順変位要素１０，１１によりバルブプレート５が中間位置から終点位置にいたる。
【００２０】
２つの順変位要素１０，１１に代えて１つの順変位要素または２つより多い順変位要素が設けられてもよい。楔要素、溝付リンク案内装置等、揺動梃子とは異なる機構の順変位要素が採用されてもよい。バルブロッド８およびバルブプレート５の間で作用する順変位要素によってバルブロッド８に対してバルブプレート５が平行移動することが示されたが必ずしもそうである必要はない。
【００２１】
バルブロッド８は部分的に、特に大部分において、バルブプレート５のバルブシート４の反対側面に配置されている補強ユニット１２をさらに支持している。本実施形態では３本のバルブロッド８に応じて３つの補強ユニット１２が設けられている。いくつかの補強ユニット１２がいくつかのバルブロッド８に対応している。１つの共通の補強ユニット１２が複数のバルブロッド８により支持されていてもよい。
【００２２】
補強ユニット１２はバルブロッド８の閉方向９について少なくとも１つの第１後補強要素１３と、第１後補強要素１３よりも前方に位置する少なくとも１つの第１前補強要素１４とを備えている。バルブプレート５が閉位置にあるとき、第１後補強要素１３はバルブ本体に固定されて設けられている第２後補強要素１５に係合し、第１前補強要素１４はバルブ本体１に固定して設けられている第２前補強要素１６に係合する。バルブプレート５の閉位置において、係合している第１後補強要素１３および第２後補強要素１５と、第１前補強要素１４および第２前補強要素１６とは、バルブプレート５をバルブシート４に押し付けた状態を維持するようにバルブ本体１に圧力を作用させる。
【００２３】
前記のように本実施形態では第２前補強要素１６は閉方向９についてバルブ開口部３の前方に配置され、第２後補強要素１５は閉方向９についてバルブ開口部３の前方に配置されている。第２前補強要素１６および第２後補強要素１５は壁２に固定された部材により構成されている。第２前補強要素１６および第２後補強要素１５は壁２に一体に形成されていてもよい。
【００２４】
バルブの閉塞に際してバルブロッド８が第２位置にいたったとき、第１後補強要素１３および第２後補強要素１５は完全に噛み合う(図５(ｃ)および図６(ｃ)参照)。このとき、第１前補強要素１４および第２前補強要素１６はバルブ開口部３の軸７の方向にお互いに離れている。相互に噛み合っている状態の第１後補強要素１３および第２後補強要素１５は、バルブロッド８が第２位置から第３位置に変位することにより、バルブロッド８が第２位置にあり、かつ、第１前補強要素１４および第２前補強要素１６がお互いに離れている始点位置から、バルブロッド８が第３位置にあり、かつ、第１前補強要素１４および第２前補強要素１６が噛み合っている、すなわち、相互に当接している終点位置まで補強ユニット１２を揺動させるための揺動軸１７を有する揺動機構を構成する(図５(ｄ)および図６(ｄ)参照)。バルブロッド８が第２位置にあるときに第１後補強要素１３および第２後補強要素１５が相互に噛み合っていることにより、バルブロッド８が第３位置にさらに変位される際、補強ユニット１２がそれ以上動くことが防止されている。これにより前述のような揺動軸１７まわりの揺動のみが可能とされている。
【００２５】
バルブロッド８が第２位置から第３位置に変位することにより補強ユニット１２を揺動軸１７のまわりに揺動させるために、本実施形態では一方においてバルブロッド８に揺動自在に取り付けられ、他方において補強ユニット１２に揺動自在に取り付けられている揺動梃子により構成されている逆変位要素１８が機能する。揺動軸は相互に平行かつ閉方向９に対して垂直である。バルブロッド８が第２位置から第３位置に変位する際に揺動梃子が揺動することにより、補強ユニット１２が揺動軸１７まわりに揺動する。逆変位要素１８が補強ユニット１２に接触する部分はバルブプレート５のようにほぼ反対方向に(円弧に沿って)動く。バルブロッド８が第２位置から第３位置に変位する際、順変位要素１０，１１および逆変位要素１８はほぼ反対方向に動く。
【００２６】
楔要素、溝付リンク案内装置等、他の機構によって機能する逆変位要素が採用されてもよい。原則的に補強ユニット１２ごとに１つの逆変位要素１８があれば足りるが、補強ユニット１２ごとに２つ以上の逆変位要素１８が設けられていてもよい。
【００２７】
補強ユニット１２は支持部１９，２０を介してバルブプレート５に連結されている。本実施形態では支持部１９，２０は鋼ばね等、薄片形状の素材により形成された撓んだばね弾性を有する帯(撓んだ薄片ばね)により構成されている。帯状の支持部１９，２０は、折り曲げられたまたは屈曲された端部とは本質的に無関係にバルブロッド８の縦方向にのびている。支持部１９，２０はバルブプレート５に対して補強ユニット１２が動くことを少なくとも大幅に防止する。相互に係合した第１後補強要素１３および第２後補強要素１５により補強ユニット１２の閉方向９への変位が防止されているとき、バルブロッド８が第２位置から第３位置に変位する際におけるバルブプレート５の補強ユニット１２に対する動きがこの際のバルブロッド８の後退行程の半分未満になる。
【００２８】
支持部１９，２０はその弾性に基づき、バルブプレート５に向かう補強ユニット１２の揺動を可能としている。バルブロッド８が第２位置から第３位置に変位するとき、補強ユニット１２が揺動軸１７のまわりに揺動している間にバルブプレート５はその姿勢をバルブシート４に対して平行に維持することができる。
【００２９】
バルブロッド８の縦軸方向についてバルブプレート５の補強ユニット１２に対する動きが実質的に妨げられることにより、バルブロッド８が第２位置にある状態で第１後補強要素１３および第２後補強要素１５が噛み合った後、閉方向９にバルブプレート５がさらに変位することが実質的に妨げられる。バルブロッド８が第２位置から第３位置に変位することによりバルブロッド８がその閉方向９にバルブプレート５に対して変位し、これによりバルブロッド８およびバルブプレート５の間で順変位要素１０，１１が作動するとともに、バルブプレート５がバルブシート４に押し付けられる。
【００３０】
補強ユニット１２ごとに２つの支持部１９，２０が設けられる代わりに、それより多いまたは少ない支持部が設けられてもよい。支持部１９，２０が薄片状の弾性帯により構成される等、異なる構成とされてもよい。支持部１９，２０の弾性はバルブロッド８が第３位置から第２位置に後退する際に反動力を生じさせ、これにより、一方では補強ユニット１２が始点位置の方向に押し戻され、他方では順変位要素１０，１１がバルブプレート５に対して押し戻され、その結果としてバルブプレート５がバルブシート４から離れる。
【００３１】
噛み合った状態において揺動機構を構成する第１後補強要素１３および第２後補強要素１５は、本実施形態では横から見たとき(たとえばバルブプレート５を通した側面図を示している図６(ａ)参照)または揺動軸１７の方向に見たとき(図５(ａ)参照)、Ｕ字形状に形成されている第２後補強要素１５である。第２後補強要素１５は第１後補強要素１３が当接する円弧状の軸受面２１を有している。第１後補強要素１３は揺動軸１７を構成する縦軸を有し、横から見て円形状のボルトにより構成されている。
【００３２】
補強ユニット１２は本実施形態では第１後補強要素１３を構成する２つのＬ字形状のフレーム２２，２３により構成されている。２つのＬ字形状のフレーム２２，２３はボルトにより連結され、かつ、揺動梃子により構成されている逆変位要素１８のボルト２４を回動自在に支持している。閉方向９についてフレーム２２，２３のアーチ状に曲げられている前端部は、第１前補強要素１４を構成し、かつ、バルブの閉状態においてバルブ本体に固定された張出部により構成されている第２前補強要素１６に係合する。補強ユニット１２は他の異なる構成であってもよい。
【００３３】
揺動梃子により構成されている順変位要素１０，１１および逆変位要素１８が回動可能にバルブロッド８に支持されるように、前軸受面２５および後軸受面２６が機能する。前軸受面２５はバルブロッド８の端部にねじ止めされている。後軸受面２６はバルブロッド８の先細の端部に取り付けられ、かつ、ばね２７によりバルブロッド８のかかとに押し付けられている。ばね２７に代えて開かれたシースが前軸受面２５および後支持部２６の間に配置されてもよい。揺動機構として揺動梃子とは異なる他の構成が採用されうる。
【００３４】
バルブがその開状態から遷移して閉じられたとき、バルブロッド８は次に油圧式ピストンシリンダユニット等のアクチュエータ２８により第２位置を経て第３位置に動かされる。バルブプレート５はバルブロッド８の第１位置において開位置にあり、続いてバルブロッド８がその第２位置に移動するまでに中間位置に動かされる。補強ユニット１２はバルブロッド８の変位により動かされる。バルブロッド８が第２位置に到達すると、バルブロッド８のさらなる変位に際して補強ユニット１２のさらなる変位が防止され、補強ユニット１２は逆変位要素１８により揺動軸１７のまわりに揺動する。バルブプレート５は、バルブロッド８が第２位置に到達したときまたはその直後(バルブロッド８が第３位置に到達したのと同時)に動きが止められ、続いて順変位要素１０，１１によりバルブシート４の方向に動かされる。バルブプレート５が中間位置から閉位置に動く際、補強ユニット１２の揺動軸１７まわりの揺動によってバルブロッド８が曲がることが実質的に回避される。
【００３５】
バルブの開放に際して前記手順が逆の順で実行される。
【００３６】
本発明の他の実施形態について図７を用いて説明する。前記実施形態と比較して順変位要素１０’および逆変位要素１８’の構成が異なる。順変位要素１０’および逆変位要素１８’はバルブロッド８の終端部２９の楔面によって構成されている。順変位要素１０’を構成する楔面は、バルブプレート５に設けられている槌面３０と相互作用し、これによってバルブシート４に対するバルブプレート５の平行位置が調整される。逆変位要素１８’を構成する楔面は補強ユニット１２に配置されているころ３１と相互作用する。
【００３７】
バルブの開放に際してバルブロッド８が第２位置に到達し、かつ、さらに第１位置に向かって戻されるとき、終端部２９の前端部に設けられている連動部３２がバルブプレート５および補強ユニット１２に連動する。
【図面の簡単な説明】
【００３８】
【図１】(ａ)本発明の実施形態としてのスライドバルブの開状態における斜視図(ｂ)本発明の実施形態としてのスライドバルブの閉状態における斜視図
【図２】バルブの一部が除かれ、バルブロッド駆動用のアクチュエータが異なっているほかは図１(ａ)および図１(ｂ)と同様の構成の図１(ｂ)の対応斜視図
【図３】バルブの一部が除かれた図２の部分拡大図
【図４】閉状態のバルブの部分拡大図
【図５】(ａ)バルブプレートが開位置にある状態における図４のＡ−Ａ線断面図(ｂ)バルブプレートが中間位置に到達する直前状態における図４のＡ−Ａ線断面図(ｃ)バルブプレートが中間位置にある状態における図４のＡ−Ａ線断面図(ｄ)バルブプレートが閉位置にある状態における図４のＡ−Ａ線断面図
【図６】(ａ)バルブロッドの縦中央領域において切開された、図５(ａ)に対応する位置にあるバルブの一部の図２に対応する斜視図(ｂ)バルブロッドの縦中央領域において切開された、図５(ｂ)に対応する位置にあるバルブの一部の図２に対応する斜視図(ｃ)バルブロッドの縦中央領域において切開された、図５(ｃ)に対応する位置にあるバルブの一部の図２に対応する斜視図(ｄ)バルブロッドの縦中央領域において切開された、図５(ｄ)に対応する位置にあるバルブの一部の図２に対応する斜視図
【図７】図５(ｃ)と同様にバルブプレートが中間位置にある状態における本発明の実施形態としてのスライドバルブの一部を示す図
【符号の説明】
【００３９】
１‥バルブ本体、２‥壁、３‥バルブ開口部、４‥バルブシート、５‥バルブプレート、６‥シールリング、７‥軸、８‥バルブロッド、９‥閉方向、１０，１０’‥順変位要素、１１‥順変位要素、１２‥補強ユニット、１３‥第１後補強要素、１４‥第１前補強要素、１５‥第２後補強要素、１６‥第２前補強要素、１７‥揺動軸、１８，１８’‥逆変位要素、１９‥支持部、２０‥支持部、２１‥軸受面、２２‥フレーム(第１セクション)、２３‥フレーム(第２セクション)、２４‥ボルト、２５‥前軸受面、２６‥後軸受面、２７‥ばね、２８‥アクチュエータ、２９‥終端部、３０‥斜面、３１‥ロール、３２‥連動部
【要約】
【課題】簡易な構成の補強ユニットにより、バルブプレートの閉位置においてバルブシートを有する壁に補強ユニットを安定または強固に押圧することができるスライドバルブを提供する。
【解決手段】スライドバルブはバルブプレート５をバルブシート４に押し付ける補強ユニット１２と、補強ユニット１２がバルブシート４から離反する方向に変位することを防止するための手段とを備えている。当該手段はバルブシート４が形成されている壁２等により構成され、バルブ本体１に固定された第１補強要素１５と、第１補強要素１５と係合する第２補強要素１３とを備えている。ボルトは、その軸方向にお互いに離れた補強ユニット１２の第１セクション２２および第２セクション２３の間に配置されている。
【選択図】  図５【図１】
0004391573.tif 000002
【図２】
0004391573.tif 000003
【図３】
0004391573.tif 000004
【図４】
0004391573.tif 000005
【図５】
0004391573.tif 000006
【図６】
0004391573.tif 000007
【図７】
0004391573.tif 000008